(57)【要約】【課題】シグナリングデータの並列リアルタイム分散解析のための、ツールの複雑さおよび費用が低減された方法および装置を提供する。【解決手段】本発明は、分散ネットワークアナライザによって、ネットワークの複数のインターフェイスにおいて交換されているシグナリングデータを捕捉し、この捕捉したシグナリングデータを複数のシグナリングアナライザ２８ａ、２８ｂ、２８ｃによる並列リアルタイム分散解析のために選択的に操作し、この選択的に操作したシグナリングデータをシグナリングアナライザ２８ａ、２８ｂ、２８ｃによる並列リアルタイム分散解析のために複数のシグナリングアナライザ２８ａ、２８ｂ、２８ｃのそれぞれに対して伝送する方法および装置を提供する。さらに、シグナリングアナライザ２８ａ、２８ｂ、２８ｃによって解析される捕捉したシグナリングデータは、エンドユーザートラフィックのＱｏＳ解析に必要な情報を含む。【選択図】図８
2006054881.tif 000002
【特許請求の範囲】
【請求項１】
分散ネットワークアナライザによって、ネットワークの複数のインターフェイスにおいて交換されているシグナリングデータを捕捉する段階と、
前記捕捉したシグナリングデータを複数のシグナリングアナライザによる並列リアルタイム分散解析のために選択的に操作する段階と、
前記選択的に操作したシグナリングデータを前記シグナリングアナライザによる前記並列リアルタイム分散解析のために前記複数のシグナリングアナライザのそれぞれに対して伝送する段階と、
を含む方法。
【請求項２】
前記伝送されるシグナリングデータが、ネットワークシグナリングデータ、ユーザーシグナリングデータ、及びアプリケーションシグナリングデータのうちの少なくとも１つを含む、請求項１に記載の方法。
【請求項３】
前記シグナリングデータが、前記シグナリングアナライザによる前記並列リアルタイム分散解析のために、前記複数のシグナリングアナライザのそれぞれに対して順番に伝送される、請求項１または２に記載の方法。
【請求項４】
前記捕捉したシグナリングデータが、オフラインで解析される、請求項１乃至３のいずれか一項に記載の方法。
【請求項５】
前記捕捉したシグナリングデータが、エンドユーザートラフィックのサービスの品質（ＱｏＳ）解析に必要な情報を含んでいる、請求項１乃至４のいずれか一項に記載の方法。
【請求項６】
前記捕捉したシグナリングデータが、無線及び有線ネットワークに関係するネットワーク情報を含んでいる、請求項１乃至５のいずれか一項に記載の方法。
【請求項７】
異なるプロトコルを使用するインターフェイスを含む複数のインターフェイスにおいてシグナリングデータを捕捉し、該捕捉したシグナリングデータを選択的に伝送する分散ネットワークアナライザと、
前記伝送されたシグナリングデータを受信し、該受信したシグナリングデータを並列で独立的に解析する複数のシグナリングアナライザと、
を備えているネットワークアナライザ。
【請求項８】
前記複数のインターフェイスの前記シグナリングデータに関係する統計的な情報を選択的に表示する、請求項７に記載のネットワークアナライザ。
【請求項９】
前記シグナリングデータが、前記異なるプロトコルに関係する情報に基づいて解読される、請求項７または８に記載のネットワークアナライザ。
【請求項１０】
前記シグナリングデータが、遠隔操作で捕捉され解析される、請求項７乃至９のいずれか一項に記載のネットワークアナライザ。
【発明の詳細な説明】
【技術分野】
【０００１】
本発明は、解析のためのネットワークのシングナリングデータの配信に関するものである。更に詳しくは、本発明は、ネットワークの複数のインターフェイスにおいて交換されているシグナリングデータの捕捉と、並列リアルタイム分散解析のためのこの捕捉したシグナリングデータの配信に関するものである。
【背景技術】
【０００２】
一般に、ネットワークのシグナリングデータを解析することにより、そのネットワーク内の問題を検出してトラブルシューティングすることができる。ネットワーク内の問題を正確に突き止めるには、多くの場合に、ローカルにのみ入手可能な様々なソースからシグナリングデータを捕捉して解析することが必要である。しかしながら、ネットワークの複雑化に伴い、このようなシグナリングデータの捕捉及び解析に要するハードウェア及びソフトウェア、並びにこれらのハードウェア及びソフトウェアの実装費用が増大している。
【０００３】
図１には、一般的なシグナリングデータ解析インターフェイス１００が示されている。図１においては、この一般的なシグナリングデータ解析インターフェイス１００に基づいて、ネットワーク２００のシグナリングデータを解析している。尚、この図１のネットワーク２００に関連する一般的な説明については周知であり、又、「シグナリングデータ」とは、ネットワーク２００の機能に関係するデータの確立、制御、及び管理に関連する情報を意味している。
【０００４】
図１を参照すれば、ネットワーク２００は、非同期転送モード（ＡＴＭ）ネットワーク技術１４を使用してコアネットワーク１６に接続された無線アクセスネットワーク１０を含んでおり、この無線アクセスネットワーク１０とコアネットワーク１６との間において、データセル又はパケットが交換されている。無線ネットワーク制御装置（ＲＮＣ）１５ａ及び１５ｂを具備する無線アクセスネットワーク１０は、ユニバーサル移動体通信システム（ＵＭＴＳ）（不図示）の周知のＩｕ−ＣＳ（回線交換）インターフェイス１２ａとＩｕ−ＰＳ（パケット交換）インターフェイス１２ｂを介して、ＡＴＭネットワーク１４にリンクされている。そして、それぞれのＲＮＣは、ＵＭＴＳのＩｕｂインターフェイスに基づいて、ノードＢ（図１の参照符号１３ａ及び１３ｂ）にリンクされている。通常、「ノードＢ」とは、ユーザー機器（図１の参照符号１１及び１１ａ）と無線アクセスネットワーク１０との間における物理的な無線リンクを提供するＵＭＴＳ内の機能を意味している。そして、ユーザー機器１１及び１１ａは、ＵＭＴＳ無線インターフェイス（図１の参照符号Ｕｕ）を使用して無線アクセスネットワーク１０とインターフェイスしている。
【０００５】
ネットワーク２００のコアネットワーク１６は、Ｉｕ−ＣＳ（回線交換）インターフェイス１２ｃとＩｕ−ＰＳ（パケット交換）インターフェイス１２ｄを使用して、ＡＴＭネットワーク１４とインターフェイスしている。具体的には、コアネットワーク１６は、Ｉｕ−ＣＳ（回線交換）インターフェイス１２ｃを使用してＡＴＭネットワーク１４とインターフェイスしているコアネットワーク１６内においてデータをスイッチング及び交換する移動交換局（ＭＳＣ）１７と、加入者の通話処理及びモビリティ管理に必要な加入者データを具備するビジターロケーションレジスタ（ＶＬＲ）１９と、を有している。又、コアネットワーク１６内には、移動局の場所を追跡することで一般に知られており、セキュリティ機能などを実行する汎用パケット無線サービス（ＧＰＲＳ）に基づいたサービングＧＰＲＳサポートノード（ＳＧＳＮ）（図１の参照符号２１ａ及び２１ｂ）も提供されている。図１に示されているように、このコアネットワーク１６内のＳＧＳＮ２１ａは、Ｉｕ−ＰＳ（パケット交換）インターフェイス１２ｄを使用して、ＡＴＭネットワーク１４にインターフェイスしている。尚、このネットワーク２００には、一般に、カテゴリ分類モバイルサービス（categorically classifying mobile service）、シグナリングの終了、トラフィックフォーマットの提供、モバイルネットワーク内に採用されているプロトコルの変換などのサービスのために、端末識別レジスタ（ＥＩＲ）２３、ホームロケーションレジスタ（ＨＬＲ）２７、ショートメッセージサービス（ＳＭＳ）２５などが含まれている。
【０００６】
図１に示されているように、この一般的なシグナリングデータ解析インターフェイス１００は、それぞれのノードＢをＲＮＣ及びＡＴＭネットワーク１４に接続するＩｕｂインターフェイスと対応してリンクされているハードウェアコンポーネント１８ａ、１８ｂ、及び１８ｃを具備している。これらのハードウェアコンポーネント１８ａ、１８ｂ、及び１８ｃは、ネットワーク２００内で交換されるシグナリングデータを捕捉し、ローカルネットワーク２０のインターフェイスを使用して、解析用のシグナリングデータを提供する。このハードウェアコンポーネント１８ａ、１８ｂ、及び１８ｃによって捕捉されたシグナリングデータは、ストレージサーバー２２内に保存可能であり、統計情報とＡＴＭ復号を提供する分散ネットワークアナライザソフトウェア２６と、３Ｇ通話の追跡や３Ｇ復号などのサービスを提供するシグナリングアナライザ２８を使用して、ユーザー２４に対して表示することができる。
【０００７】
この一般的なシグナリングデータ解析１００は、ハードウェアコンポーネント１８ａ、１８ｂ、及び１８ｃなどの解析ハードウェア及びシグナリングアナライザ２８及び分散ネットワークアナライザソフトウェア２６として同様に割り当てられている解析ソフトウェアツールの１対１のマッピングに制限されている。具体的には、一般的なシグナリングデータ解析１００においては、複数のインターフェイスをシグナリングアナライザ２８及び分散ネットワークアナライザソフトウェア２６の単一の解析セッションに接続することは可能であるが、複数のインターフェイスを複数の解析セッションに接続することはできない。従って、同時解析セッションの実施が必要な場合には、一般的なシグナリングデータ解析１００においては、複数の解析ハードウェア及びソフトウェアツールを個々に実装することが必要であり、解析ツールの複雑さと費用が増大することになってしまう。
【発明の開示】
【発明が解決しようとする課題】
【０００８】
従って、ユーザーによる複数のシグナリングデータ解析セッションの同時実行を実現する解析ツールをユーザーに対して提供することが重要である。特に、これは、前述のように、ネットワークが益々複雑化し、様々なソースからのシグナリングデータの捕捉及び解析が要求されるようになるに伴って、その重要性が増大している。即ち、一般的なシグナリングデータ解析を使用した場合には、ユーザーによるシグナリングデータの同時解析が妨げられると共に、シグナリングデータを複数の機能のために使用することを要する場合に、ユーザーは、それらの解析セッションをセットアップする必要があるからである。
【課題を解決するための手段】
【０００９】
本発明は、分散ネットワークアナライザによって、ネットワークの複数のインターフェイスにおいて交換されているシグナリングデータを捕捉し、この捕捉したシグナリングデータを複数のシグナリングアナライザによる並列リアルタイム分散解析のために選択的に操作し、この選択的に操作したシグナリングデータをシグナリングアナライザによる並列リアルタイム分散解析のために複数のシグナリングアナライザのそれぞれに対して伝送する方法を提供する。
【００１０】
又、本発明は、分散ネットワークアナライザによって、複数のプロトコルを使用するインターフェイスを含む複数のインターフェイスにおいてシグナリングデータを捕捉し、この捕捉したシグナリングデータを独立した解析のために複数のシングナリングアナライザに対して並列に配信し、この捕捉したシグナリングデータをユーザーの要求に基づいて解析及び表示する方法を提供する。
【００１１】
又、本発明は、異なるプロトコルを使用するインターフェイスを含む複数のインターフェイスにおいてシグナリングデータを捕捉し、この捕捉したシグナリングデータを選択的に伝送する分散ネットワークアナライザと、この伝送されたシグナリングデータを受信し、この受信したシグナリングデータを並列に独立的に解析する複数のシグナリングアナライザと、を含むネットワークアナライザを提供する。
【発明を実施するための最良の形態】
【００１２】
本発明のこれら及び／又はその他の態様及び利点については、添付の図面との関連で、実施例に関する以下の説明を参照することにより、明らかとなり、容易に理解することができよう。
【００１３】
次に、本発明の実施例を詳細に参照するが、これらの例は、添付図面に示されており、これらの図面においては、類似の参照符号を使用して類似の要素を示している。以下、これらの添付図面を参照して実施例を説明することにより、本発明について説明する。
【００１４】
図２〜図６には、図１に関連して説明したネットワーク２００が含まれている。しかしながら、このネットワーク２００は、図１の一般的な説明に限定されるものではなく、ネットワーク２００は、ネットワークのその他のコンポーネント及びサービスを有することが可能であることを理解されたい。
【００１５】
図２を参照すれば、ネットワーク２００は、ネットワークアナライザ（ＮＡ）サーバー３０とインターフェイスしており、このネットワークアナライザ（ＮＡ）サーバー３０と通信状態にある。このネットワークアナライザ３０には、分散ネットワークアナライザ（ＤＮＡ）ソフトウェア２６ａが提供されている。又、図２に示されているように、複数のユーザー２４ａ、２４ｂ、及び２４ｃが、シグナリングアナライザ２８ａ、２８ｂ、及び２８ｃを使用して、複数の解析セッションを実施することができる。この結果、シグナリングアナライザ２８ａ、２８ｂ、及び２８ｃによる並列リアルタイム解析のために、複数のユーザー２４ａ、２４ｂ、及び２４ｃに対してシグナリングデータを配信することができる。分散ネットワークアナライザソフトウェア２６ａは、複数のユーザー２４ａ、２４ｂ、及び２４ｃのニーズに基づいて、シグナリングデータを選択的に操作又は適合させる。本発明の一態様によれば、このシグナリングデータには、例えば、ネットワークの機能をセットアップ及び制御するべく通信ネットワークが使用するメッセージなどのネットワークシグナリングデータを含むことができる。又、このシグナリングデータには、例えば、通話の実行や接続のセットアップのためのユーザーによるセッションの起動に関係する情報などのユーザーシグナリングデータと、その他のアプリケーション又はユーザーと通信するべくアプリケーションが使用する情報などのアプリケーションシグナリングデータも含むことができる。例えば、このシグナリングデータには、ＩＥＥＥ−８０２．１１、Ｂｌｕｅｔｏｏｔｈ（商標）、ＣＤＭＡ、ＧＳＭ、Ｍｏｂｉｌｅ  ＳＳ７などの通信プロトコル上の３Ｇモバイル通信技術に基づいたネットワーク内における確立、制御、接続、及び管理に関する情報を含むことができる。但し、このシグナリングデータは、特定のタイプのシグナリングデータや特定のプロトコルに限定されるものではない。又、このシグナリングデータは、既存のデータ捕捉法及び装置を使用して捕捉することができる。
【００１６】
図２に示されているように、ネットワークアナライザサーバー３０に提供されている分散ネットワークアナライザソフトウェア２６ａの設定内容に基づいて、ネットワーク２００からのシグナリングデータを複数のユーザー２４ａ、２４ｂ、及び２４ｃに配信する。この図２に示されている分散ネットワークアナライザソフトウェア２６ａの実装においては、図１に関連して説明した捕捉ハードウェアと解析ソフトウェアとの間における１対１のマッピングの制約が除去されている。即ち、分散ネットワークアナライザソフトウェア２６ａから配信されるネットワーク２００からのシグナリングデータの複数の解析のために、複数のシグナリングアナライザ２８ａ、２８ｂ、及び２８ｃを使用している。尚、このネットワークアナライザサーバー３０は、１つの分散ネットワークアナライザソフトウェア２６ａを具備するものとして説明されているが、このネットワークアナライザサーバー３０は、複数の分散ネットワークアナライザソフトウェア２６ａを含むことにより、シグナリングデータのスケーラブルな解析を提供可能である。例えば、増大するシグナリングデータ解析需要に適合するべく、その他の分散ネットワークアナライザと通信するように、分散ネットワークアナライザソフトウェア２６ａを構成することができる。
【００１７】
図３においては、ネットワーク２００は、ネットワークアナライザサーバー３０と通信するべく、ネットワークアナライザサーバー３０とインターフェイスしている。このネットワークアナライザ３０には、分散ネットワークアナライザソフトウェア２６ａが提供されている。又、図２に関連して前述したように、複数のユーザー２４ａ、２４ｂ、及び２４ｃが、シグナリングアナライザ２８ａ、２８ｂ、及び２８ｃを使用して複数の解析セッションを実行する。そして、図３に示されているように、シグナリングデータをロギングサーバー３６に登録することにより、オフラインユーザー３４ａ、３４ｂ、及び３４ｃによるシグナリングデータの複数のオフライン解析３２ａ、３２ｂ、及び３２ｃをも実現している。ネットワークアナライザ３０をロギングサーバー３６とインターフェイスさせることにより、シグナリングアナライザ２８ａ、２８ｂ、及び２８ｃを使用して複数の解析セッションを並列に実行する複数のユーザー２４ａ、２４ｂ、及び２４ｃによるシグナリングデータのリアルタイム解析を実現しつつ、オフラインユーザー３４ａ、３４ｂ、及び３４ｃによるシグナリングデータの複数のオフライン解析３２ａ、３２ｂ、３２ｃの実施を実現しているのである。この結果、複数のユーザー２４ａ、２４ｂ、及び２４ｃが、複数のリアルタイム機能を実施すると共に、ネットワークアナライザサーバー３０からの同一のシグナリングデータを使用して、複数のオフライン解析３２ａ、３２ｂ、及び３２ｃにより、複数のオフライン解析を実施することができる。又、この結果、ロギングサーバー３６は、クライアントとして機能して、ネットワークアナライザサーバー３０からシグナリングデータを受信すると共に、このシグナリングデータを複数のオフライン解析３２ａ、３２ｂ、及び３２ｃに対して配信することが可能である。
【００１８】
図４を参照すれば、ネットワーク２００は、ネットワークアナライザサーバー３０とインターフェイスしており、このネットワークアナライザサーバー３０と通信状態にある。又、このネットワークアナライザサーバー３０は、図３との関連で説明したロギングサーバー３６ともインターフェイスしている。更には、図４に示されているように、ネットワークアナライザサーバー３０には、コール詳細レコード（ＣＤＲ）供給装置３８もリンクされている。ＣＤＲには、通話の発呼／着呼アドレスや通話の開始及び終了時刻などの通話に関係する情報を含むデータレコード情報が含まれている。この結果、複数のユーザー２４ａ、２４ｂ、及び２４ｃ、並びに複数のオフライン解析ユーザー３４ａ、３４ｂ、及び３４ｃは、このようなＣＤＲを使用する機能を含むシグナリングデータの同時解析を実施可能である。
【００１９】
図５においては、ネットワーク２００は、ネットワークアナライザサーバー３００とインターフェイスして、このネットワークアナライザサーバー３０と通信状態にあると共に、ネットワークアナライザサーバー３０は、図４との関連で説明したロギングサーバー３６ともインターフェイスしている。又、この図５のネットワークアナライザサーバー３０は、統計情報供給サーバー４０及びＮＴＣ４２とも接続されている。この結果、複数のユーザー２４ａ、２４ｂ、及び２４ｃが、複数のリアルタイム解析を実施可能であると共に、複数のオフライン解析ユーザー３４ａ、３４ｂ、及び３４ｃが、並列オフライン解析を実装することができる。又、複数のユーザー２４ａ、２４ｂ、及び２４ｃと複数のオフライン解析ユーザー３４ａ、３４ｂ、及び３４ｃは、統計情報供給サーバー４０及びＮＴＣ４２からのデータを使用する並列リアルタイム及びオフライン解析のために、これらの装置からデータを受信している。この結果、ユーザーによる複数の解析機能の実行を要する場合に解析セッションを個別にセットアップする必要性が除去されている。
【００２０】
図６を参照すれば、ネットワーク２００は、通信のためにネットワークアナライザサーバー３０とインターフェイスしており、このネットワークアナライザサーバー３０は、図５に関連して説明したように、ロギングサーバー３６とインターフェイスしている。又、この図６のネットワークアナライザサーバー３０は、ＣＤＲ供給装置３８とも接続されており、このＣＤＲ供給装置は、ＤＭＴ４６及びＵＭＴＳ  ＱｏＳアナライザ４４と接続されている。尚、このＵＭＴＳ  ＱｏＳアナライザ４４は、信号対雑音比やビット誤り率などの通信システム又はチャネルの性能に関する情報の解析を意味するものであり、ＤＭＴ４６は、Ｂｌｕｅｔｏｏｔｈ（商標）リンクに関係している。この結果、複数のユーザー２４ａ、２４ｂ、及び２４ｃと複数のオフライン解析ユーザー３４ａ、３４ｂ、及び３４ｃは、エンドユーザートライフィック情報のサービスの品質（ＱｏＳ）解析に必要な情報を含むネットワークアナライザサーバー３０による捕捉されたシグナリングデータを使用して、複数の解析セッションを同時に実行可能である。本発明の一態様によれば、伝送されるシグナリングデータには、ネットワークシグナリングデータ、ユーザーシグナリングデータ、及びアプリケーションシグナリングデータの中の少なくとも１つが含まれている。又、このシグナリングデータは、ネットワーク上の問題のトラブルシューティングとネットワークの最適化にも使用することができる。
【００２１】
図７を参照すれば、ネットワーク２００は、ＷＳＭ４８を介して、ＤＭＴ４６、ＣＤＲ供給装置３８、ＵＭＴＳ  ＱｏＳアナライザ４４、及び統計情報供給サーバー４０と通信するべくインターフェイスしている。この結果、ネットワーク２００の複数の機能に関係する様々な情報を含むシグナリングデータを同時に解析することができる。尚、この図７に関連する様々なソースサーバーについては、既に説明済みである。
【００２２】
図８は、本発明の実施例による複数のインターフェイスにおいて交換されるシグナリングデータを捕捉し、選択的に操作して、伝送する方法３００を示している。即ち、段階５０において、ネットワークの複数のインターフェイスにおいて交換されているシグナリングデータを分散ネットワークアナライザによって捕捉する。次いで、このプロセス３００は、段階５０から段階６０に進み、この捕捉されたシグナリングデータを複数のシグナリングアナライザによる並列リアルタイム分散解析のために選択的に操作する。そして、このプロセス３００は、段階６０から段階７０に進み、この選択的に操作したシグナリングデータをシグナリングアナライザによる並列リアルタイム分散解析のために複数のシグナリングアナライザのそれぞれに対して伝送する。この結果、この本発明の方法３００によれば、解析の個別のセットアップを必要とすることなしに、シグナリングアナライザによるシグナリングデータの並列リアルタイム分散解析を実現することができる。
【００２３】
尚、シグナリングデータのリアルタイム抽出とシグナリングデータの配信のためには、例えば、Ａｇｉｌｅｎｔ（商標）Ｊ６８０１Ａ分散ネットワークアナライザを使用可能である。又、シグナリングデータの並列解析には、Ｊ７３２６ＡなどのＡｇｉｌｅｎｔ（商標）シグナリングアナライザソフトウェアを使用可能である。但し、Ａｇｉｌｅｎｔ（商標）製品を使用して、ネットワークアナライザサーバー３０とシグナリングアナライザ２８について説明しているが、本発明は、Ａｇｉｌｅｎｔ（商標）製品に限定されるものではない。
【００２４】
従って、このシグナリングデータを配信する方法及び装置は、分散ネットワークアナライザによって、ネットワークの複数のインターフェイスにおいて交換されているシグナリングデータを捕捉し、この捕捉したシグナリングデータを複数のシグナリングアナライザによる並列リアルタイム分散解析のために選択的に操作し、この選択的に操作したシグナリングデータをシグナリングアナライザによる並列リアルタイム分散解析のために複数のシグナリングアナライザのそれぞれに対して伝送する。この結果、捕捉したシグナリングデータの複数の並列解析のために、この捕捉したシグナリングデータをシグナリングアナライザに配信することができる。又、この結果、ハードウェアとソフトウェア解析ツールとの間の１対１のマッピングに限定されないシグナリングデータの解析が提供され、これにより、複雑なネットワークのシグナリングデータを解析する複雑ではない解析方法及び装置が実現することになる。又、この結果、捕捉したシグナリングデータをそれぞれのシグナリングアナライザに対して選択的に配信することにより、シグナリングアナライザによる並列解析を実施することも可能である。
【００２５】
又、本発明は、分散ネットワークアナライザによって、複数のプロトコルを使用するインターフェイスを含む複数のインターフェイスにおいてシグナリングデータを捕捉し、この捕捉したシグナリングデータを独立的な解析のために複数のシグナリングアナライザに対して並列に配信し、この配信したシグナリングデータをユーザーの要求に基づいてシグナリングアナライザによって解析及び表示する方法を提供する。この結果、シグナリングアナライザによる配信されたシグナリングデータに対して提供されるユーザーのニーズに適合されたシグナリングデータが提供されることになる。
【００２６】
又、本発明によれば、解読済みのシグナリングデータが提供され、ユーザーは、シグナリングデータの効率的な解析のために、シグナリングデータを容易に理解することができる。又、このシグナリングデータには、ユーザーがネットワーク上において発生し得る問題をトラブルシューティングすると共に、ネットワークの状態を判定できるようにするネットワークシグナリングデータ、ユーザーシグナリングデータ、及びアプリケーションシグナリングデータの中の少なくとも１つが含まれている。
【００２７】
又、本発明は、異なるプロトコルを使用するインターフェイスを含む複数のインターフェイスにおいてシグナリングデータを捕捉し、この捕捉したシグナリングデータを選択的に伝送する分散ネットワークアナライザと、この伝送されたシグナリングデータを受信し、この受信したシグナリングデータを並列で独立的に解析する複数のシグナリングアナライザと、を含むネットワークアナライザを提供する。この結果、シグナリングアナライザは、分散ネットワークアナライザによって捕捉されたシグナリングデータを使用して、複数の並列解析セッションを実施することができる。
【００２８】
以上、本発明のいくつかの実施例について図示並びに説明したが、当業者であれば、本発明の原理と精神を逸脱することなしに、これらの実施例に変更を加えることが可能であることを理解するであろう。従って、本発明の範囲は、添付の請求項及びその等価物に定義されているとおりである。
【００２９】
尚、本明細書には、様々なプロトコルについて記述されているが、本発明は、特定のプロトコルに限定されるものではない。
【図面の簡単な説明】
【００３０】
【図１】一般的なシグナリングデータ解析インターフェイスを示す図である。
【図２】本発明の実施例による複数のユーザーによるシグナリングデータの並列解析を実現する単機能ネットワークアナライザを示す図である。
【図３】本発明の実施例による複数のユーザーによるシグナリングデータの並列解析を実現する多機能ネットワークアナライザを示す図である。
【図４】本発明の別の実施例による複数のユーザーによるシグナリングデータの並列解析を実現する多機能ネットワークアナライザを示す図である。
【図５】本発明の別の実施例による複数のユーザーによるシグナリングデータの並列解析を実現する多機能ネットワークアナライザを示す図である。
【図６】本発明の別の実施例による複数のユーザーによるシグナリングデータの並列解析を実現する多機能ネットワークアナライザを示す図である。
【図７】本発明の実施例による無線サービスマネージャを示す図である。
【図８】本発明の実施例による複数のインターフェイスにおいて交換されるシグナリングデータを捕捉し、選択的に操作して、伝送する方法を示す図である。
【符号の説明】
【００３１】
２８ａ、２８ｂ、２８ｃ：シグナリングアナライザ
【図１】
2006054881.tif 000003
【図２】
2006054881.tif 000004
【図３】
2006054881.tif 000005
【図４】
2006054881.tif 000006
【図５】
2006054881.tif 000007
【図６】
2006054881.tif 000008
【図７】
2006054881.tif 000009
【図８】
2006054881.tif 000010